(57)【要約】      （修正有）【課題】プロジェクターを容易に昇降可能なプロジェクター支持装置の提供。【解決手段】プロジェクター支持装置１００は、壁に配置される第１段目支持部材１１１と、上下方向にスライド移動可能な（ｎ＋１）段で構成される複数の支持部材と、第（ｎ＋２）段目支持部材に配置されるプロジェクター保持部１２０とを備え、第ｋ段目支持部材と第（ｋ＋２）段目支持部材とは紐形状である連結部材で連結され、連結部材は、第ｋ段目支持部材と第（ｋ＋２）段目支持部材との間において最下点を有するように一端が第ｋ段目支持部材に接続され、他端が第（ｋ＋２）段目支持部材に接続されるとともに第ｋ段目支持部材と第（ｋ＋２）段目支持部材との相対位置を制御し、第（ｋ＋１）段目支持部材は、連結部材の最下点位置において支持され、第ｋ段目支持部材に対する第（ｋ＋２）段目支持部材の相対位置の変動に伴う最下点位置の移動に従って上下方向にスライド移動する。【選択図】図１
2018049270.tif 000002
【特許請求の範囲】
【請求項１】
（ｎ＋２）段式（ｎは自然数）の支持部材を有するプロジェクター支持装置であって、
壁面に配置される第１段目支持部材と、
上下方向にスライド移動可能な（ｎ＋１）段で構成される複数の支持部材と、
第（ｎ＋２）段目支持部材に配置され、プロジェクターを保持するプロジェクター保持部とを備え、
第ｋ段目支持部材と第（ｋ＋２）段目支持部材とは、紐形状である連結部材で連結され（ｋは１〜ｎの自然数）、
前記連結部材は、前記第ｋ段目支持部材と前記第（ｋ＋２）段目支持部材との間において最下点を有するように、一端が前記第ｋ段目支持部材に接続され、他端が前記第（ｋ＋２）段目支持部材に接続されるとともに、前記第ｋ段目支持部材と前記第（ｋ＋２）段目支持部材との相対位置を制御し、
第（ｋ＋１）段目支持部材は、前記連結部材の最下点位置において支持され、前記第ｋ段目支持部材に対する前記第（ｋ＋２）段目支持部材の相対位置の変動に伴う当該最下点位置の移動に従って上下方向にスライド移動することを特徴とする、プロジェクター支持装置。
【請求項２】
前記第ｋ段目支持部材、第（ｋ＋１）段目支持部材、および第（ｋ＋２）段目支持部材は、順に入れ子構造であることを特徴とする、請求項１に記載のプロジェクター支持装置。
【請求項３】
前記入れ子構造は、前記第ｋ段目支持部材が第（ｋ＋１）段目支持部材に、前記（ｋ＋１）段目支持部材が第（ｋ＋２）段目支持部材にそれぞれ格納される構造であることを特徴とする、請求項２に記載のプロジェクター支持装置。
【請求項４】
前記第（ｎ＋２）段目支持部材は、前記壁面を走行するキャスターを備えることを特徴とする、請求項１乃至３のいずれかに記載のプロジェクター支持装置。
【請求項５】
前記各支持部材は、隣接する支持部材に沿って走行するランナーを備えることを特徴とする、請求項１乃至４のいずれかに記載のプロジェクター支持装置。
【請求項６】
前記第（ｋ＋２）段目支持部材は、上下方向にガイドレールを備え、
前記（ｋ＋１）段目支持部材は、前記ガイドレールに沿って上下方向にスライド移動することを特徴とする、請求項１乃至５のいずれかに記載のプロジェクター支持装置。
【請求項７】
前記（ｎ＋２）段式の支持部材および前記プロジェクター保持部に保持されるプロジェクターを張架する定荷重ばねをさらに備えることを特徴とする、請求項１乃至６のいずれかに記載のプロジェクター支持装置。
【請求項８】
前記支持部材のいずれかに着脱可能であって、前記定荷重ばねが張架する荷重を調整する錘をさらに備えることを特徴とする、請求項７に記載のプロジェクター支持装置。
【請求項９】
前記連結部材の最下点位置に配置される滑車をさらに備え、
前記連結部材は、前記滑車を介して前記第ｋ段目支持部材と前記第（ｋ＋２）段目支持部材との相対位置を制御することを特徴とする、請求項１乃至８のいずれかに記載のプロジェクター支持装置。
【請求項１０】
前記各支持部材は、その上端および下端にクッション部材を備えることを特徴とする、請求項１乃至９のいずれかに記載のプロジェクター支持装置。
【請求項１１】
前記第１段目支持部材は、前記壁面において水平方向に設けられたガイドレールに沿ってスライド移動可能な走行部を有することを特徴とする、請求項１乃至１０のいずれかに記載のプロジェクター支持装置。
【発明の詳細な説明】
【技術分野】
【０００１】
本発明は、壁面、黒板、ホワイトボード等に付設するプロジェクター支持装置に関し、より特定的には、上下方向の位置調整機能を備えたプロジェクター支持装置に関する。
【背景技術】
【０００２】
一般的に、学校等の教育現場、研修会場、プレゼンテーション会場等では、黒板、ホワイトボード、あるいは大型スクリーン等を用いて、授業やプレゼンテーション等が実施されている。また、このような黒板等には、チョークやペンで直接文字が書かれる場合だけでなく、プロジェクターを用いて文字や図形が投射されることも行われている。
【０００３】
プロジェクターは、映像の投射面である黒板等の前方に設置した台座に載置して操作することも可能であるが、黒板等の上部に固定された状態で使用されることもある。また、最近では黒板等の固定型ボードの上部近傍にレールを付設し、当該レールに沿ってプロジェクターを走行させるプロジェクター支持装置を設置することによって、黒板等の適切な箇所に映像を投射する機構も採用されてきている（例えば、特許文献１）。
【０００４】
上記のようにプロジェクターを走行させることにより、黒板の水平方向に対しては任意の場所に映像を投射することが可能となるが、学生の成長度合いに合わせた視点の高さ調整を可能とするため、また、後方の座席からも映像がよく見えるようにするため、上下方向にも任意の場所に映像を投影したいという要請がある。そのような要請に対応するために、黒板とプロジェクターとが一体となった黒板を採用し、黒板とプロジェクターとを一体として上下させることで高さを調整するものが存在した（例えば、特許文献２、３）。
【先行技術文献】
【特許文献】
【０００５】
【特許文献１】特開２０１４−８３６９３号公報
【特許文献２】特開２０１４−１５１５３１号公報
【特許文献３】特開２００９−１１９６６３号公報
【発明の概要】
【発明が解決しようとする課題】
【０００６】
しかしながら、このような機構を採用した場合、プロジェクターとともに黒板（もしくは電子黒板、インタラクティブボード）も併せて昇降させる必要が生じるため、一人でこれを昇降させるためには、装置を大掛かりなものにする必要がある。
【０００７】
それ故に、本発明は、上記のような課題に鑑みてなされたものであって、本発明の目的の１つは、上下方向にスライド移動可能な支持部材を複数備える多段式の支持部材を設けることにより、プロジェクターを容易に昇降できるプロジェクター支持装置を提供することである。
【課題を解決するための手段】
【０００８】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【０００９】
本発明の一局面に係るプロジェクター支持装置は、（ｎ＋２）段式（ｎは自然数）の支持部材を有するプロジェクター支持装置であって、壁面に配置される第１段目支持部材と、上下方向にスライド移動可能な（ｎ＋１）段で構成される複数の支持部材と、第（ｎ＋２）段目支持部材に配置され、プロジェクターを保持するプロジェクター保持部とを備え、第ｋ段目支持部材と第（ｋ＋２）段目支持部材とは、紐形状である連結部材で連結され（ｋは１〜ｎの自然数）、前記連結部材は、前記第ｋ段目支持部材と前記第（ｋ＋２）段目支持部材との間において最下点を有するように、一端が前記第ｋ段目支持部材に接続され、他端が前記第（ｋ＋２）段目支持部材に接続されるとともに、前記第ｋ段目支持部材と前記第（ｋ＋２）段目支持部材との相対位置を制御し、第（ｋ＋１）段目支持部材は、前記連結部材の最下点位置において支持され、前記第ｋ段目支持部材に対する前記第（ｋ＋２）段目支持部材の相対位置の変動に伴う当該最下点位置の移動に従って上下方向にスライド移動することを特徴とする。
かかる構成により、本発明の一局面に係るプロジェクター支持装置よれば、上下方向にスライド移動可能な支持部材を複数備える（ｎ＋２）段式の支持部材を設けて、第（ｎ＋２）段目支持部材に配置されたプロジェクター保持部がプロジェクターを保持しているため、プロジェクターを容易に昇降することができる。
【００１０】
また、より好ましくは、前記第ｋ段目支持部材、第（ｋ＋１）段目支持部材、および第（ｋ＋２）段目支持部材は、順に入れ子構造であることを特徴とする。
かかる構成により、本発明の一局面に係るプロジェクター支持装置によれば、複数の支持部材を順に格納するため、視覚的にも構造的にも複雑とならずスッキリさせることができる。
【００１１】
また、より好ましくは、前記入れ子構造は、前記第ｋ段目支持部材が第（ｋ＋１）段目支持部材に、前記（ｋ＋１）段目支持部材が第（ｋ＋２）段目支持部材にそれぞれ格納される構造であることを特徴とする。
かかる構成により、本発明の一局面に係るプロジェクター支持装置によれば、上下方向のいずれの位置においても支持部材を隣接する支持部材によって格納することができ、さらには視覚的にも構造的にも複雑でなくスッキリさせることができる。また、プロジェクター保持部が配置される第（ｎ＋２）段目支持部材が最も外部に位置する構造となるため、入れ子構造を採用する場合に当該プロジェクター保持部が上下移動する際の溝等を設ける必要がなくなる。
【００１２】
また、より好ましくは、前記第（ｎ＋２）段目支持部材は、前記壁面を走行するキャスターを備えることを特徴とする。
かかる構成により、本発明の一局面に係るプロジェクター支持装置によれば、壁面に対して一定の距離を保ちつつ、さらに上下移動する際のサポートとなるため、プロジェクターをより容易に昇降することができる。
【００１３】
また、前記各支持部材は、隣接する支持部材に沿って走行するランナーを備えることを特徴とする。
かかる構成により、本発明の一局面に係るプロジェクター支持装置によれば、各支持部材をよりスムーズに上下移動させることが可能となる。
【００１４】
また、より好ましくは、前記第（ｋ＋２）段目支持部材は、上下方向にガイドレールを備え、前記（ｋ＋１）段目支持部材は、前記ガイドレールに沿って上下方向にスライド移動することを特徴とする。
かかる構成により、本発明の一局面に係るプロジェクター支持装置によれば、支持部材はガイドレールに沿ってスライド移動するため、よりスムーズにプロジェクターを上下移動させることができる。
【００１５】
また、より好ましくは、前記（ｎ＋２）段式の支持部材および前記プロジェクター保持部に保持されるプロジェクターを張架する定荷重ばねをさらに備えることを特徴とする。
かかる構成により、本発明の一局面に係るプロジェクター支持装置によれば、定荷重ばねが一定の張力で支持部材およびプロジェクターを吊持し続けているため、上下方向のいずれの位置においても、プロジェクター保持部に保持されているプロジェクターが引っ張られて上昇することも、重力により下降することもない。換言すれば、上下方向にバランスが取れており、プロジェクターが急激に上昇したり、下降したりすることを防止するとともに、所望の位置に留まらせることができる。
【００１６】
また、より好ましくは、前記支持部材のいずれかに着脱可能であって、前記定荷重ばねが張架する荷重を調整する錘をさらに備えることを特徴とする。
かかる構成により、本発明の一局面に係るプロジェクター支持装置によれば、荷重に対して上下方向に細かくバランス調整をすることができるため、プロジェクターを所望の位置に確実に留まらせることができる。また、使用していた定荷重ばねの経年劣化に対応することもでき、さらには、使用する定荷重ばねの種類に応じてバランスを取ることができるため様々な定荷重ばねを採用することもできる。
【００１７】
また、より好ましくは、前記連結部材の最下点位置に配置される滑車をさらに備え、前記連結部材は、前記滑車を介して前記第ｋ段目支持部材と前記第（ｋ＋２）段目支持部材との相対位置を制御することを特徴とする。
かかる構成により、本発明の一局面に係るプロジェクター支持装置によれば、前記連結部材は、前記滑車を介して前記第ｋ段目支持部材側の距離と、前記第（ｋ＋２）段目支持部材側との距離とを変動させるため、よりスムーズに各支持部材をスライド移動させることができる。その結果、プロジェクターをより容易に昇降することができる。
【００１８】
また、より好ましくは、前記各支持部材は、その上端および下端にクッション部材を備えることを特徴とする。
かかる構成により、本発明の一局面に係るプロジェクター支持装置によれば、各支持部材が上限または下限位置に移動した際に、隣接する支持部材との衝撃を吸収することができる。
【００１９】
また、より好ましくは、前記第１段目支持部材は、前記壁面において水平方向に設けられたガイドレールに沿ってスライド移動可能な走行部を有することを特徴とする。
かかる構成により、本発明の一局面に係るプロジェクター支持装置によれば、横方向においても所望の位置にプロジェクターを配置することができる。
【発明の効果】
【００２０】
本発明によれば、上下方向にスライド移動可能な支持部材を複数備える多段式の支持部材を設けることにより、プロジェクターを容易に昇降できるプロジェクター支持装置を実現できる。
【図面の簡単な説明】
【００２１】
【図１】本発明の第１の実施形態に係るプロジェクター支持装置１００を示す側面図である。
【図２】本発明の第１の実施形態に係るプロジェクター支持装置１００を示す正面図である。
【図３】本発明の第１の実施形態に係るプロジェクター支持装置１００を示す平面図である。
【図４】本発明の第１の実施形態に係るプロジェクター支持装置１００における各支持部材の動きを説明するための概略側面図である。
【図５】本発明の第２の実施形態に係るプロジェクター支持装置２００を示す側面図である。
【発明を実施するための形態】
【００２２】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００２３】
＜第１の実施形態＞
図１は、本発明の第１の実施形態に係るプロジェクター支持装置１００を示す側面図であり、図２は、本発明の第１の実施形態に係るプロジェクター支持装置１００を示す正面図である。プロジェクター支持装置１００は、４段式の支持部材を有し、プロジェクターＰを支持するものである。
【００２４】
プロジェクター支持装置１００は、第１段目支持部材１１１と、第２段目支持部材１１２と、第３段目支持部材１１３と、第４段目支持部材１１４と、ランナー１１５と、クッション部材１１６と、プロジェクター保持部１２０と、定荷重ばね１３０と、連結部材（図示せず）と、滑車（図示せず）と、キャスター１４０と、錘（図示せず）と、フックハンガー１５０と、走行部１６０とを備える。
【００２５】
プロジェクターＰが最上部に位置しているとき、第１段目支持部材１１１は第２段目支持部材１１２に、第２段目支持部材１１２は第３段目支持部材１１３に、第３段目支持部材１１３は第４段目支持部材１１４に、それぞれ格納されるように、入れ子形式で収まっている。その状態から、フックハンガー１５０にフックを掛け、または直接操作者が把持しながら下方向に牽引することにより、第４段目支持部材１１４が下方向に移動する。それ伴って、第３段目支持部材１１３および第２段目支持部材１１２が引き出され、４段式の支持部材が全体として下方向に伸びていくことになる。この際、プロジェクター保持部１２０第４段目支持部材１１４に配置されているため、プロジェクター保持部１２０に保持されているプロジェクターＰは、第４段目支持部材１１４の下方向への移動に応じて下方向に降りていくことになる。
【００２６】
つまり、プロジェクターＰを最上部に位置した状態から下降させることは、４段式の支持部材が入れ子形式で収まっている状態から下方向に引き出すということになる。一方、プロジェクターＰを上昇させることは、引き出された４段式の支持部材を入れ子形式に収納していくことになる。
【００２７】
本実施形態において、各支持部材はランナー１１５を備えている。具体的には、第２段目支持部材１１２は、第１段目支持部材１１１に沿って走行するようなランナー１１５を備え、第３段目支持部材１１３は、第２段目支持部材１１２に沿って走行するようなランナー１１５を備え、第４段目支持部材１１４は、第３段目支持部材１１３に沿って走行するようなランナー１１５を備えている。
【００２８】
このようなランナー１１５を設けることにより、プロジェクターＰを昇降させる際に、各支持部材の摺動がスムーズに行なわれる。
【００２９】
なお、ここでは、第２段目支持部材１１２、第３段目支持部材１１３、および第４段目支持部材１１４の裏面（映像の投射面の正面に位置する看者が位置する側とは反対側）にランナー１１５を配置しているが、このようなランナー１１５以外にも各支持部材がスムーズに摺動するように、例えば、各支持部材にガイドレールを設けても構わない。
【００３０】
さらに、第４段目支持部材１１４には、壁面と接触しながら転動するキャスター１４０が備えられている。キャスター１４０は、各支持部材と壁面との間の距離を一定に保ちつつ、プロジェクターＰが上下移動する際のサポートをする。
【００３１】
また、各支持部材は、その上端および下端にクッション部材１１６を備えている。クッション部材１１６は、各支持部材が上限または下限位置に移動した際に、隣接する支持部材との衝撃を吸収する。クッション部材１１６、衝撃を吸収し得る部材であればよく、例えば、ばね、スポンジ、ゴム、シリコン、樹脂、それらの組み合わせで構成される。
【００３２】
第１段目支持部材１１１には定荷重ばね１３０が備えられており、第２段目支持部材１１２から第４段目支持部材１１４を介してプロジェクター保持部１２０に保持されているプロジェクターＰを張架している。定荷重ばね１３０は、一定の張力で支持部材およびプロジェクターＰを吊持し続けるため、上下方向のいずれの位置においても、プロジェクター保持部１２０に保持されているプロジェクターＰが勝手に上昇することも、重力により下降することもなくなる。換言すれば、上下方向にバランスを取ることによって、プロジェクターＰが急激に上昇したり、下降したりすることを防止するとともに、所望の位置に留まらせている。
【００３３】
なお、ここでは、第１段目支持部材１１１に上下方向に２つの定荷重ばね１３０を配置しているが、定荷重ばね１３０の個数や配置位置は、これに限定されるものではなく、例えば、これより大きい（耐荷重）の定荷重ばねを１個だけ用いても構わないし、小さい定荷重ばねを多く用いても構わない。定荷重ばねの種類、個数および配置等は、吊持する支持部材やプロジェクターＰの大きさおよび荷重に応じて適切なものを採用すればよい。
【００３４】
さらに、荷重の詳細な調整のために、キャスター１４０近傍に錘を搭載しても構わない。使用していた定荷重ばね１３０が経年劣化して張力を失った場合には、錘を軽くすることによりバランスを取ることができる。また、錘を増減することにより使用する定荷重ばね１３０の種類に応じてバランスを取ることができる。
【００３５】
本実施形態における支持部材のうち、第１段目支持部材１１１は、走行部１６０を介して壁面に水平方向に配置されたスライドレールに嵌合しており、上下方向には移動せずに、スライドレールに沿って水平方向に移動するように構成されている。
【００３６】
第１段目支持部材１１１に配置された走行部１６０が壁面に配置されたスライドレールに沿って水平方向に移動すれば、当該第１段目支持部材１１１の水平方向への移動に伴って、当然に第２段目以下の支持部材やプロジェクターＰを含めて、プロジェクター支持装置１００全体が水平移動することになる。
【００３７】
このように、第１段目支持部材１１１に配置された走行部１６０および壁面に水平方向に配置されたスライドレールによって、プロジェクター支持装置１００を水平方向にも移動させることができ、プロジェクターＰからの画像を横方向に位置においても所望の領域に投射させることができる。
【００３８】
図３は、本発明の第１の実施形態に係るプロジェクター支持装置１００を示す平面図である。本図が示す通り、本実施形態では第４段目支持部材１１４が最も外側に配置されており、順に第３段目支持部材１１３、第２段目支持部材１１２、第１段目支持部材１１１を格納するように構成されている。
【００３９】
映像の投射面の正面に位置する看者側から第４段目支持部材１１４が順に第３段目支持部材１１３、第２段目支持部材１１２、第１段目支持部材１１１を覆うように構成されており、各支持部材が上下方向に収納されるため、上下は開口されており、各側面は、内部構造が見えないように覆われている。なお、第１段目支持部材１１１の上面および第４段目支持部材１１４の下面は、内部構造が見えないように覆われる形状であっても構わないし、設置やメンテナンス作業を考慮して開口している形状であっても構わない。
【００４０】
本実施形態に係るプロジェクター支持装置１００では、第４段目支持部材１１４が最も外側に配置される構造であって、当該第４段目支持部材１１４にプロジェクター保持部１２０が配置されている。その結果、入れ子構造の各支持部材を出し入れ（伸縮）させる場合においても、プロジェクター保持部１２０やプロジェクターＰが上下移動するための特別な機構を構成する必要がない。
【００４１】
一方、第４段目支持部材１１４が入れ子構造の内側に配置される構成であった場合、入れ子構造の各支持部材を出し入れ（伸縮）させる際、当該第４段目支持部材１１４にプロジェクター保持部１２０が各支持部材を通過するような機構（例えば、各支持部材に開口部分を設けておく）を構成すればよい。
【００４２】
次に、第１段目支持部材１１１〜第４段目支持部材１１４が上下方向に移動する仕組みを詳しく説明する。
【００４３】
図４は、本発明の第１の実施形態に係るプロジェクター支持装置１００における各支持部材の動きを説明するための概略側面図である。本図において、ワイヤー状の連結部材１７１は、その一端が第１段目支持部材１１１の中央近傍に接続され、他端が第３段目支持部材１１３の上部近傍に接続されることによって、第１段目支持部材１１１と第３段目支持部材１１３とを連結している。同様に、ワイヤー状の連結部材１７２は、その一端が第２段目支持部材１１２の中央近傍に接続され、他端が第４段目支持部材１１４の上部近傍に接続されることによって、第２段目支持部材１１２と第４段目支持部材１１４とを連結している。
【００４４】
また、連結部材１７１および連結部材１７２は、ワイヤー状であるから両端を各々支持部材に接続すると、中央部分は垂れ下がり、それぞれ最下点ａ、ｂが形成されることになる。連結部材１７１において、第１段目支持部材１１１と第３段目支持部材１１３との間に形成された最下点ａで、第２段目支持部材１１２の下端部が支持される。同様に、連結部材１７２において、第２段目支持部材１１２と第４段目支持部材１１４との間に形成された最下点ｂで、第３段目支持部材１１３の下端部が支持される。
【００４５】
図４のうち、左図は、プロジェクターＰが最上部に位置している状態を示している。この状態から、第４段目支持部材１１４を下方向に牽引すると、当該第４段目支持部材１１４の下方向への移動に応じて、最下点ｂも下方向に移動することになる。そうすると、連結部材１７２で形成された最下点ｂにおいて支持されていた第３段目支持部材１１３も、これに対応して下方向に移動することになる。同様に、連結部材１７１で形成された最下点ａにおいて支持されていた第２段目支持部材１１２も、第３段目支持部材１１３の下方向への移動に応じて下方向に移動することになる。
【００４６】
図４のうち、右図は、第２段目支持部材１１２、第３段目支持部材１１３、および第４段目支持部材１１４が下方向に移動した状態を示している。この状態から、第４段目支持部材１１４を上方向に移動させると、当該第４段目支持部材１１４の上方向への移動に応じて、最下点ｂも上方向に移動することになる。そうすると、連結部材１７２で形成された最下点ｂにおいて支持されていた第３段目支持部材１１３も、これに対応して上方向に移動することになる。同様に、連結部材１７１で形成された最下点ａにおいて支持されていた第２段目支持部材１１２も、第３段目支持部材１１３の上方向への移動に応じて上方向に移動することになる。
【００４７】
このように、図４に示した第１段目支持部材１１１〜第４段目支持部材１１４が上下方向に移動する仕組みによれば、例えば、第４段目支持部材１１４を昇降させると、連結部材１７１および連結部材１７２によって第２段目支持部材１１２および第３段目支持部材１１３も同じように昇降する。換言すれば、各支持部材の入れ子具合（収納されている割合）も同じ状態で変化することになり、プロジェクター支持装置１００における多段式の支持部材の上下移動が全体として一体となっており滑らかな動きとして捉えることができる。
【００４８】
さらに、各支持部材が順に移動する構成に比べて、各段階における支持部材同士の衝撃も回避することができ、支持部材に掛かる負担を軽減することが可能となる。
【００４９】
なお、各最下点には滑車を配置してもよい。滑車を配置することにより、最下点位置において連結部材を滑らかに移動させて引っ掛かることを防止し、よりスムーズに各支持部材をスライド移動させる。その結果、プロジェクターＰをより容易に昇降することができる。
【００５０】
以上の通り、本発明の第１の実施形態に係るプロジェクター支持装置１００によれば、上下方向にスライド移動可能な４段式の支持部材を備えているため、プロジェクターＰを容易に昇降させることができる。
【００５１】
本実施形態では、４段式の支持部材を有するプロジェクター支持装置１００を例に挙げて説明したが、本発明における支持部材は、４段式に限定されるものではなく、３段式であっても５段式や６段式以上であっても構わない。
【００５２】
例えば、３段式である場合には、連結部材は１つで構成されることとなり、具体的には、第１段目支持部材１１１と第３段目支持部材１１３とを連結する連結部材１７１の最下点位置に第２段目支持部材１１２が配置される。
【００５３】
また、５段式である場合には、第３段目支持部材１１３と第５段目支持部材とを連結する連結部材が追加される構成となり、当該追加された連結部材の最下点位置に第４段目支持部材１１４が配置される。６段式以上であっても同様に支持部材および連結部材を追加すればよい。
【００５４】
＜第２の実施形態＞
図５は、本発明の第２の実施形態に係るプロジェクター支持装置２００を示す側面図である。図５において、プロジェクター支持装置２００は、磁石２０１、２０２を設けている点が本発明の第１の実施形態に係るプロジェクター支持装置１００と異なっている。なお、図５において、本発明の第１の実施形態に係るプロジェクター支持装置１００と同一の構成については、同一の参照符号を付すことによって、詳細な説明は省略する。
【００５５】
磁石は、キャスター１４０の付近とフックハンガー１５０の付近にそれぞれ設けられている。
キャスター１４０の付近に設けられている磁石２０１は、黒板、ホワイトボードや壁面等の板面（マグネット式）と完全に接着してはおらず、板面から１ｍｍ程度離れるように設けられている。このような磁石を配置することにより、プロジェクター保持部１２０の急激な落下を防ぐ、ブレーキとしての機能を発揮することができる。また、必須ではないが、さらに定荷重ばね１３０を加えてこれと組合せれば、さらに高いブレーキ性能を発揮することも可能になる。
【００５６】
フックハンガー１５０の付近に設けられている磁石２０２は、プロジェクターＰ固定時、黒板、ホワイトボードや壁面等の板面（マグネット式）に接着しているが、フックハンガー１５０にフックを掛け、手前に引くことにより板面から離れ、接着状態が解除される。その状態でフックを下方向に牽引することにより、キャスター１４０が板面を転動しつつ、プロジェクター保持部１２０が下方向に伸びていく。任意の位置までアームを下降させた後、磁石２０２を板面に接着させれば、その位置でアームを固定することができる。
【００５７】
以上の通り、本発明の第２の実施形態に係るプロジェクター支持装置２００によれば、磁石２０１、２０２により固定位置が調整可能な昇降機構を備えたプロジェクター支持装置を提供することが可能となる。なお、この磁石は錘と併用ともに配置されていてもよい。
【００５８】
なお、本発明は、固定式ボードだけでなく、スタンド式ボードにも採用可能である。また、ボードを設置せずに、壁面に直接映像を投射するためにプロジェクターを設置する場合等にも採用可能である。
【００５９】
また、プロジェクター保持部１２０は、保持しているプロジェクターＰの上下方向および／または横方向の角度を調整可能なようにチルト調整機構を有していても構わない。
【００６０】
さらには、プロジェクター保持部１２０の構造を用いれば、プロジェクターだけでなく、例えば、特に、高い位置に設置されるテレビやモニター等の電子機器、および掲示板について、それらを移動可能として支持することもできる。
【００６１】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００６２】
本発明は、プロジェクター支持装置等に利用可能であって、さらに高い位置に設置される対象物を移動可能に支持する場合等に有用である。
【符号の説明】
【００６３】
１００、２００     プロジェクター支持装置
１１１               第１段目支持部材
１１２               第２段目支持部材
１１３               第３段目支持部材
１１４               第４段目支持部材
１１５                 ランナー
１１６               クッション部材
１２０               プロジェクター保持部
１３０               定荷重ばね
１４０               キャスター
１５０               フックハンガー
１６０                  走行部
１７１                 連結部材ａ
１７２                 連結部材ｂ
２０１、２０２     磁石
Ｐ                   プロジェクター
【図１】
2018049270.tif 000003
【図２】
2018049270.tif 000004
【図３】
2018049270.tif 000005
【図４】
2018049270.tif 000006
【図５】
2018049270.tif 000007